(57)【要約】【課題】増毛状態での自毛と増毛用材料の結合部の違和感を、従来より小さくできるようにする。【解決手段】増毛用材料の束１１の折り返えし部分を捩って、後に縮小可能な第１のループ２１を形成し、第１のループ２１に続く両端部側で増毛用材料の束１１の折り返えし部分を捩り、その二つ輪を重ねて、後に縮小可能な第２のループ２２を形成する。増毛用材料の束１１の両端部を、第１のループ２１の輪に同一方向に貫通させるとともに、第２のループ２２に、紐状のストッパーロープ１２を結び付けて整形済みの増毛用材料１０ａ、１０ｂ・・・１０ｎとする。自毛の複数本を揃えた自毛の束Ｈを、第２のループ２２の輪に挿入し、第１のループ２１を貫通する増毛用材料の束１１を端部方向に移動させることによって、第２のループの輪２２と第１のループ２１の輪を縮小させた後、ストッパーロープ１２で増毛用材料の束１１と自毛の束Ｈを一緒に結束する。【選択図】        図１
2004316040.tif 000002
【特許請求の範囲】
【請求項１】
個々の増毛用材料の複数本を揃えて増毛用材料の束とし、
前記増毛用材料の束の折り返えし部分を捩って、後に縮小可能な第１のループを形成し、
前記第１のループに続く両端部側の増毛用材料の束の折り返えし部分を捩り、捩ってできた輪を重ね合わせて、後に縮小可能な第２のループを形成し、
前記増毛用材料の束の両端部を、前記第１のループの輪に同一方向に貫通させるとともに、前記第２のループを形成する前記増毛用材料の束に、紐状のストッパーロープを結び付けた整形済みの増毛用材料を用意し、
前記整形済みの増毛用材料が取付けられるべき位置にある自毛の複数本を揃えた自毛の束を、前記第２のループの輪に挿入し、
前記第１のループを貫通する増毛用材料の束を端部方向に移動させることによって、前記第２のループの輪及び前記第１のループの輪を縮小させ、
前記縮小の後、前記ストッパーロープにより近傍の前記増毛用材料の束と前記自毛の束を一緒に結束する増毛用材料装着法。
【請求項２】
個々の増毛用材料の複数本を揃えた増毛用材料の束の一部に設けられ、ループの輪に前記増毛用材料の束の両端部側が貫通していて、縮小が可能な第１のループと、
前記第１のループの近傍に設けられ、被増毛者の自毛の束を貫通させた後に前記第１のループを貫通する増毛用材料の束を両端部方向に移動させたとき、自身のループを縮小させるとともに、前記第１のループの縮小を促すことができる第２のループと、
紐状で、前記増毛用材料の束と前記自毛の束を沿わせて結束するために前記第２のループの増毛用材料の束に係合されるストッパーロープと、
を含む増毛用材料。
【請求項３】
請求項２に記載の増毛用材料において、
前記ストッパーロープは、麻、又は麻を多く含む素材からなる紐であることを特徴とする増毛用材料。
【請求項４】
シート上に、少なくとも複数の請求項２又は請求項３のいずれかに記載の増毛用材料を並べて配置し、配置された前記増毛用材料のそれぞれの一部を前記シートに剥離可能に貼付した増毛用材料セット。
【発明の詳細な説明】
【０００１】
【発明の属する技術分野】
本発明は、増毛法と増毛用具に関し、特に、おしゃれ感覚で小規模な着色増毛や、長い髪などを、いっとき楽しみたい人のために行う手軽な増毛用材料装着法と、その増毛の使用に適した形に形成された増毛用材料、増毛用材料セットに関するものである。
【０００２】
【従来の技術】
従来、増毛法は、自毛又は自毛に近い色の人工毛を自毛に取付けて頭髪の量を増やすために行われ、一旦取りつけられた人工毛は、なるべく長期にわたって外れないように工夫され、短いものでも約４〜５週間後に開放可能な接着剤で固定されているものが多かった。
ところが最近では、女性の頭髪、あるいはペットの毛髪に、リボンを飾るようなお洒落感覚で、小規模な美しく着色した人工毛などを、自毛の間に加えて装いたい、あるいは短い髪から、一時長い髪にして気分を変えてみたい、などの要望が増える傾向にある。
このような要望に応えるための手軽な増毛法として、増毛用材料のある程度纏まったものを、接着または粘着剤を使用せず短時間で着脱が可能な増毛ができる方法と、その方法に使用する増毛用具が提示されている。（例えば、特許文献１参照）
【０００３】
【特許文献１】
特開平１０−２１９５１０号公報（［００１７］〜［００２０］、［００２７］〜［００３０］、図１、図２、図８、図９、図１０、図１１、図１２、）
【０００４】
【発明が解決しようとする課題】
前記のような要望を満足させるために、増毛に際して何らかの形で接着剤ないしは粘着剤を使用するものは、そのためそれらの薬剤が皮膚に触れる機会が多く、肌荒れなどを起こしやすいという問題点がある。
そこで、増毛用材料を自毛に結合する部分に、接着剤や粘着剤を使用する代わりに、前記特許文献１に示されるように、柔軟性のあるチューブ類を使用する方法が提案されている。
【０００５】
しかし、上記のお洒落感覚を満足させるためには、自毛と増毛用材料の束同士を結合する結合部分が、できるだけ小さく纏まり、増毛後に違和感のないことが望ましい。しかし、前記発明のように、チューブ類使用の場合は、ビニールなどのチューブ類の素材の質感が、自毛や増毛用材料とは異なることや、結合された増毛用材料と自毛の流れの方向が、結合の根元で急角度に別れることなどがあって、ある程度の違和感が残り、そのさらなる改良が望まれていた。
【０００６】
本発明の課題は、前述の問題点を解決するため、接着剤や粘着剤を使用せず、短時間で装着や取り去りができ、しかも増毛状態で、自毛と増毛用材料の結合部の違和感を、従来より格段に少くすることができるような、増毛用材料装着法及び増毛用材料、増毛用材料セットを提供することである。
【０００７】
【課題を解決するための手段】
前記課題を解決するために、請求項１の発明は、個々の増毛用材料の複数本を揃えて増毛用材料の束（１１）とし、前記増毛用材料の束（１１）の折り返えし部分を捩って、後に縮小可能な第１のループ（２１）を形成し、前記第１のループ（２１）に続く両端部側の増毛用材料の束（１１）の折り返えし部分を捩り、捩ってできた輪を重ね合わせて、後に縮小可能な第２のループ（２２）を形成し、前記増毛用材料の束（１１）の両端部を、前記第１のループ（２１）の輪に同一方向に貫通させるとともに、前記第２のループ（２２）を形成する前記増毛用材料の束（１１）に、紐状のストッパーロープ（１２）を結び付けた整形済みの増毛用材料（１０ａ、１０ｂ・・・１０ｎ）を用意し、前記整形済みの増毛用材料（１０ａ、１０ｂ・・・１０ｎ）が取付けられるべき位置にある自毛の複数本を揃えた自毛の束（Ｈ）を、前記第２のループ（２２）の輪に挿入し、前記第１のループ（２１）を貫通する増毛用材料の束（１１）を端部方向に移動させることによって、前記第２のループの輪（２２）及び前記第１のループ（２１）の輪を縮小させ、前記縮小の後、前記ストッパーロープ（１２）により近傍の前記増毛用材料の束（１１）と前記自毛の束（Ｈ）を一緒に結束する増毛用材料装着法である。
【０００８】
請求項２の発明は、個々の増毛用材料の複数本を揃えた増毛用材料の束（１１）の一部に設けられ、ループの輪に前記増毛用材料の束（１１）の両端部側が貫通していて、縮小が可能な第１のループ（２１）と、前記第１のループ（２１）の近傍に設けられ、被増毛者の自毛の束（Ｈ）を貫通させた後に前記第１のループ（２１）を貫通する増毛用材料の束（１１）を両端部方向に移動させたとき、自身のループ（２２）を縮小させるとともに、前記第１のループ（２１）の縮小を促すことができる第２のループ（２２）と、紐状で、前記増毛用材料の束（１１）と前記自毛の束（Ｈ）を沿わせて結束するために前記第２のループ（２２）の増毛用材料の束（１１）に係合されるストッパーロープ（１２）と、を含む増毛用材料である。
【０００９】
請求項３の発明は、請求項２に記載の増毛用材料において、前記ストッパーロープ（１２）は、麻、又は麻を多く含む素材からなる紐であることを特徴とする増毛用材料である。
【００１０】
請求項４の発明は、シート（１ａ）上に、少なくとも複数の請求項２又は請求項３のいずれかに記載の増毛用材料（１０ａ、１０ｂ・・・１０ｎ）を並べて配置し、配置された前記増毛用材料（１０ａ、１０ｂ・・・１０ｎ）のそれぞれその一部を前記シートに剥離可能に貼付した増毛用材料セットである。
【００１１】
【発明の実施の形態】
以下、図面等を参照して、実施形態につき、本発明を詳細に説明する。
図１は、本発明による増毛用材料セットの一例の一部を示す平面図である。
図１は、台シート１ａと、その上に配置された整形済みの増毛用材料１０ａ、１０ｂ、１０ｃ、１０ｄ・・・１０ｎの主要部が見える状態で示してある。
図２は、図１の増毛用材料セットの全体を示す斜視図である。
図２は、覆いシート１ｂを台シート１ａから少し離し、半開きの状態で示してある。
【００１２】
図１、図２に示すように、本実施形態の増毛用材料セットは、数個の整形済みの増毛用材料１０ａ、１０ｂ・・・１０ｎを、台シート１ａの表面に並べて配置し、その中央部を、一組の帯状の平面ファスナー２ａ、２ｂの間に挟んで、その位置がずれないようにしてある。
そのために、平面ファスナー２ａの上に、整形済みの増毛用材料１０ａ、１０ｂ・・・１０ｎのそれぞれ中央の一部を載せ、その上から平面ファスナー２ｂが接して半固定することができるよう、平面ファスナー２ａと２ｂを対向させ、一組の平面ファスナー２ａと２ｂは、それぞれ台シート１ａと覆いシート１ｂの内側の対向面に、図示しない両面接着テープなどにより貼付されている。
増毛用材料セットは、携帯、運搬、保管などの場合には、台シート１ａと覆いシート１ｂを重ねたまま、折り目３ａ、３ｂで折り曲げ、二つ折りとして小さくすることができる。
【００１３】
整形済みの増毛用材料１０ａ、１０ｂ・・・１０ｎは、個々の増毛用材料の複数本を揃えて束とした増毛用材料の束（以下、メッシュという）１１と、増毛作業の終わりにメッシュ１１と自毛を一緒に結束するための紐状のストッパーロープ１２で構成されている。
メッシュ１１は、それぞれ一本の単位増毛用材を３０本乃至１００本程度を束ねたものである。単位増毛用材は、人工毛でもよいし、人毛であってもよい。
メッシュ１１は、同一発色のものであってもよいし、それぞれ発色が異なるものを適宜組み合わせてもよい。例えば、赤、青、緑、黄、空色などを揃えて、好みの増毛位置に、好みの色を選択しやすいようにしてもよい。
【００１４】
増毛用材料セットには、図３に示すような増毛作業に使用するための櫛４、エクステンション作業用用バックボード（以下、バックボードという）５、などを付加してもよい。
櫛４の髪振り分け用の棒を兼ねた柄の先端部付近には、凹み４ａが設けられている。凹み４ａは、作業中にメッシュ１１を引っかけるときに、滑らないように設けたものである。
【００１５】
バックボード５には、その裏面に被増毛者の頭髪にからませて作業中の位置を固定するための滑り止め５ａが貼付されている。図３では、バックボード５は、裏面が示されている。
滑り止め５ａは、表面に極く短い紐状の突起が多数あって、この面を被増毛者の頭皮に当てれば、これらの突起が自毛に引っ掛かかるので、バックボード５の位置を容易に仮固定することができる。
バックボード５の上部の切り欠き５ｂ及び孔５ｃは、バックボード５を被増毛者の頭皮に当ててから、自毛をバックボード５の表面に引き出すためのものである。この表面は、白色などの明るい色にしてあるので、バックボード５の表面をバックとして作業することにより、増毛材料や人毛の細部を見やすくし、作業効率を上げることができる。
【００１６】
図４は、図１の増毛用材料の一部で自毛を結合するための部分（以下、自毛結合部という。）を拡大して示す平面図である。
図４に示すように、自毛結合部には、ループの輪にメッシュ１１の両端部を貫通させる第１のループ２１と、第１のループ２１の近傍にあって、被増毛者の自毛の束Ｈを貫通させる第２のループ２２と、ストッパーロープ１２等とが含まれる。
第１のループ２１は、メッシュ１１のほぼ中央部を折り返し捩られて形成される。
第２のループ２２は、第１のループ２１に続く部分の両端側のメッシュ１１、１１を、それぞれ折り返し捩って作ったループ２２ａと２２ｂを、２つ重ねるようにして形成される。
【００１７】
図４において、メッシュ１１の部分１１ａとメッシュ１１の部分１１ｂを、それぞれ図中の矢印Ａ１  、矢印Ｂ１  の方向に移動させると、第２のループ２２の輪の部分２２ａは、図中の矢印Ａ２  の方向に移動し、第２のループ２２の輪の部分２２ｂは、図中の矢印Ｂ２  の方向に移動するので、第２のループ２２の輪が縮まる。その大きさが最小限度に近くなると、図中の矢印Ａ３  及び矢印Ｂ３  の動きが始まり、これが図中の矢印Ａ４  及び矢印Ｂ４  の動きとなって第１のループ２１の輪を縮小させる。
【００１８】
したがって、第１のループ２１と第２のループ２２の輪は、いずれも縮小が可能であって、第２のループ２２に被増毛者の自毛の束Ｈを貫通させた後に、第１のループ２１を貫通するメッシュの位置を端部側に移動させることによって、第２のループ２２の輪を縮小させ、その第２のループ２２の輪の縮小に伴って、同時に第１のループ２１の輪をも縮小させることができる。
しかも、これらの連動した縮小の後に、メッシュ１１の部分１１ａを、図中の左側方に、メッシュ１１の部分１１ｂを、図中の右側方に、同時に引っ張ることによって、第２のループ２２の輪をさらに強く締めつけることができる。
【００１９】
ストッパーロープ１２は、被増毛者の自毛を第２のループ２２の輪に挿入し、第２のループ２２の輪と第１のループ２１の輪を縮小させた後に、メッシュ１１と自毛の束Ｈを沿わせて結束するためのものであって、第２のループ２２の輪を形成するメッシュに結び付けられている。
ストッパーロープ１２は、結束後、周囲の増毛用材料や自毛と馴染んで違和感を生じないよう、十分しなやかで、細い紐であるが、前記結束後に頭皮の湿気を受けて、適度に締まるよう、麻を主成分としたものが適当である。
【００２０】
図５〜図１３は、増毛作業の手順例を示す説明図である。
以下、図１の増毛用材料を使用した増毛方法について、その手順を図に従って説明する。
まず、被増毛者の増毛すべき部分に、バックボード５を当てがった後、自毛の約２０〜３０本を揃えて自毛の束Ｈとし、孔５ｃからバックボード５の表面に取り出す。このとき頭頂側の他の自毛が、バックボード５の面上に垂れてきて作業の邪魔にならないよう、事前にヘヤークリップ６で止めておく（図５参照）。
【００２１】
次に、増毛用材料セットから整形済みの増毛用材料を取り出し、その第２のループ２２に、櫛４の柄の部分を使って自毛の束Ｈを挿入する（図６参照）。
なお、図６以下の図面では、作業に直接関係しない部分（自毛やヘヤークリップ）などの図示は省略する。
次に、一方の手で第１のループ２１の付近を持ち、他方の手でメッシュの端部側の部分（図４の１１ａ、１１ｂ）を引っ張って、第２のループ２２の輪を押し縮め、増毛結合位置で仮固定ができるまで締める（図７参照）。
【００２２】
次に、メッシュの端部側の部分１１ａと１１ｂを、左右に離れる方向に引くと、自毛の束Ｈはさらに、第２のループ２２の輪によって締めつけられ、固定される（図８参照）。
ついで自毛の束Ｈを、自毛結合部近傍のメッシュ１１に沿わせ（図９参照）、ストッパーロープ１２で、自毛の束Ｈとメッシュ１１を一緒にして、軽く結ぶ（図１０参照）。
続いて、ストッパーロープ１２と自毛の束Ｈのそれぞれを、互いに離れる方向（図の上下方向）に引くと、ストッパーロープ１２の結び目が小さくなる（図１１参照）。
【００２３】
次に、メッシュ１１と自毛の束Ｈを一緒に纏め、中に挟み込んでストッパーロープ１２で結び、さらにもう一度結んで固定する（図１２参照）。
最後に、ストッパーロープ１２を、鋏で、その結び目の近くを切断すれば、一連の増毛作業は終わる。
作業完了後の自毛結合部の結び目は小さく、ストッパーロープ１２も柔かいので、手触り感はソフトである（図１３参照）。
自毛の結合を解除したい場合は、ストッパーロープ１２の結び目を鋏でカットすれば、容易にメッシュ１１を自毛の束Ｈから取り去ることができる。
【００２４】
（変形形態）
以上説明した実施形態に限定されることなく、種々の変形や変更が可能であって、それらも本発明の均等の範囲内である。
たとえば、増毛用材料セットのシートは、台シートと覆いシートの別れていなくてもよく、それぞれの上下左右の中のいずれか一辺で繋がった一体の、一枚でできたシートであってもよい。
また、自毛結合部は、メッシュの丁度真ん中でなくともよく、たとえば、メッシュの端部付近に設ければ、限られた長さのメッシュを最大限長い増毛用材料として生かせることができる。
また、第一のループの作り方、第一のループの作り方、ストッパーロープの結び方、など図示と異なっていてもよく、本発明の主旨に沿うものであれば、そのいずれもが本発明に含まれる。
【００２５】
【発明の効果】
以上詳しく説明したように、本発明によれば、接着剤や粘着剤を使用せず、また自毛と増毛用材料の結合部に、人毛、人工毛などとは異質なチューブ類等を使用していないので、頭皮やペットの肌などを傷める心配がなく、また増毛状態における周囲の自毛に対する違和感を、従来より遙に少くすることができるという効果がある。
【図面の簡単な説明】
【図１】本発明による増毛用材料セットの例の一部を示す平面図である。
【図２】図１の増毛用材料セットの全部を示す斜視図である。
【図３】増毛作業に使用する櫛とバックボードを示す平面図である。
【図４】図１の増毛用材料の自毛結合部を拡大して示す平面図である。
【図５】増毛作業の手順例を示す説明図である。
【図６】図５に続く増毛作業の手順例を示す説明図である。
【図７】図６に続く増毛作業の手順例を示す説明図である。
【図８】図７に続く増毛作業の手順例を示す説明図である。
【図９】図８に続く増毛作業の手順例を示す説明図である。
【図１０】図９に続く増毛作業の手順例を示す説明図である。
【図１１】図１０に続く増毛作業の手順例を示す説明図である。
【図１２】図１１に続く増毛作業の手順例を示す説明図である。
【図１３】図１２に続く増毛作業の手順例を示す説明図である。
【符号の説明】
１ａ  台シート
１０ａ、１０ｂ、１０ｎ  整形済みの増毛材料
１１  メッシュ
１２  ストッパーロープ
２１  第１のループ
２２  第２のループ
Ｈ  自毛の束
【図１】
2004316040.tif 000003
【図２】
2004316040.tif 000004
【図３】
2004316040.tif 000005
【図４】
2004316040.tif 000006
【図５】
2004316040.tif 000007
【図６】
2004316040.tif 000008
【図７】
2004316040.tif 000009
【図８】
2004316040.tif 000010
【図９】
2004316040.tif 000011
【図１０】
2004316040.tif 000012
【図１１】
2004316040.tif 000013
【図１２】
2004316040.tif 000014
【図１３】
2004316040.tif 000015